(57)【要約】【課題】液晶表示装置の狭額縁化に適した配線基板およびこの配線基板が組み込まれた液晶モジュールを提供すること。【解決手段】電気信号および／または電力を電送する電気配線２１が、他の電子部材および／または電気部材と電気的な接続を構成する接続ランド２２と異なる面および／または層に形成される構成において、接続ランド２２が形成される接続部２２１が周縁部に沿って複数設けられ、電気配線２１と接続ランド２２とを電気的に接続するスルーホール２４が、接続部２２１どうしの間のダミーランド２３が設けられる領域に配設する。【選択図】図２
2007129034.tif 000002
【特許請求の範囲】
【請求項１】
電気信号および／または電力を伝送する電気配線の少なくとも一部が他の電子部材および／または電気部材との接続を構成する接続ランドと異なる面および／または層に形成される配線基板であって、前記接続ランドが形成される領域が配線基板の周縁部に沿って複数設けられるとともに、前記電気配線と前記接続ランドとを電気的に接続するスルーホールが前記接続ランドが形成される領域どうしの間に設けられることを特徴とする配線基板。
【請求項２】
前記接続ランドが形成される領域どうしの間には、ダミーランドが形成されることを特徴とする請求項１に記載の配線基板。
【請求項３】
異方性導電膜を介して他の電子部材および／または電気部材と電気的な接続を構成する接続ランドを備える配線基板であって、電気信号および／または電力を伝送する電気配線と前記接続ランドとを電気的に接続するスルーホールが異方性導電膜を貼付する領域のうちの接続ランドが形成されない部位に設けられることを特徴とする配線基板。
【請求項４】
前記異方性導電膜を貼付する領域において、接続ランドが形成されない部位にはダミーランドが形成されることを特徴とする請求項３に記載の配線基板。
【請求項５】
液晶表示パネルと、該液晶表示パネルを駆動するドライバが実装されるＴＣＰと、前記ＴＣＰとは異方性導電膜を介して接続されて電気信号および／または電力を伝送する請求項１から請求項４の何れかに記載の配線基板とを備えることを特徴とする配線基板を備える液晶モジュール。
【発明の詳細な説明】
【技術分野】
【０００１】
本発明は、配線基板及びこの配線基板を備える液晶モジュールに関するものであり、特に、液晶表示パネルを駆動するドライバへの電気信号や電力等の分配等に好適な配線基板と、この配線基板を備える液晶モジュールに関するものである。
【背景技術】
【０００２】
一般的な液晶モジュールは、液晶表示パネルに駆動用回路等が接続された構成を備える。そしてこのような液晶モジュールが組み込まれた表示装置は、駆動用回路等にコントロール回路基板等により生成された制御信号等を伝送し、駆動用回路等は、この制御信号等に基づいて液晶表示パネルを駆動するように構成される。
【０００３】
図３は、従来一般の液晶モジュール９０の実装構造の一例を模式的に示した分解斜視図である。この液晶モジュール９０は、液晶表示パネル９１と、駆動用回路等として、この液晶表示パネル９１の周縁部に装着される複数のＴＣＰ（Tape Carrier Package）９３および液晶表示パネル９１の周縁部に沿って配設されてＴＣＰ９３に接続される配線基板９２とを備える。各ＴＣＰ９３には、液晶表示パネル９１を駆動するソースドライバまたはゲートドライバ９３１が実装される。各ＴＣＰ９３と配線基板９２との間の接続には、たとえば異方性導電膜（ＡＣＦ）９４が用いられる。
【０００４】
配線基板９２は、細長い略長方形に形成され、各種電気信号や電力などを伝送するための複数の電気配線９２１と、各ＴＣＰ９３と接続するための接続部９２５とが設けられる。この電気配線９２１は、この配線基板９２の長手方向に沿って配設される細長い導体であり、一般に複数が並列的に形成される。接続部９２５は、各ＴＣＰ９３と接続するための所定の数の接続ランド９２２を備え、液晶表示パネル９１に対向する位置に設けられる。また、各接続部９２５の間には、配線基板９２と異方性導電膜９４との密着性を向上させるためのダミーランド９２３が形成される。そして、接続ランド９２２およびダミーランド９２３の表面に異方性導電膜（ＡＣＦ）９４が貼付され、この異方性導電膜９４によって、配線基板９２と各ＴＣＰ９３とが電気的に接続される。
【０００５】
この配線基板９２には、図３に示すように、電気配線９２１と接続ランド９２２とが、それぞれ異なる面や層に形成される構成のものが用いられることがある。このような配線基板９２においては、電気配線９２１と接続ランド９２２とがスルーホール９２４により電気的に接続されるのが一般的である。このスルーホール９２４は、配線基板９２と異方性導電膜９４との密着性が低下しないよう、従来は、異方性導電膜９４が貼付される領域、すなわちダミーランド９２３が形成される領域を避けて設けられている。このため、スルーホール９２４とダミーランド９２３との干渉を避けるため、電気配線９２１と、ダミーランド９２３とが、互いに重畳しない部分が存在するように配設される。
【０００６】
その結果、電気配線９２１が形成される面や層には、電気配線９２１が配設されない領域９２６が存在することになる。このため、配線基板９２の横幅寸法は、電気配線９２１の形成に必要な横幅寸法と、接続ランド９２２またはダミーランド９２３の形成に必要な横幅寸法を足し合わせた寸法となる。
【０００７】
【特許文献１】特開昭５８−８７５８２号公報
【特許文献２】特開平４−２１８９３３号公報
【発明の開示】
【発明が解決しようとする課題】
【０００８】
ところで、最近は液晶表示装置の狭額縁化、すなわち液晶表示パネルに装着される外枠の小型化や細幅化が進んでおり、液晶表示パネルの周縁部に装着される配線基板を小型化または細幅化したいという要求がある。また、配線基板の面積の大小は価格に影響することから、できるだけ配線基板の面積を小さくしたいという要求もある。
【０００９】
しかしながらこの配線基板の横幅寸法は、スルーホールとダミーランドとが干渉しないようにするため、前記のようになる。このため、配線基板の横幅寸法を小さくすることは困難であった。
【００１０】
上記実情に鑑み本発明が解決しようとする課題は、寸法を小さくして低価格化を図ることができる配線基板を提供すること、または表示装置の狭額縁化を図ることができる配線基板もしくは液晶モジュールを提供することである。
【課題を解決するための手段】
【００１１】
このような課題を解決するため、本発明は、電気配線が接続ランドと異なる面および／または層に形成される構成において、接続ランドが形成される領域が配線基板の周縁部に沿って複数設けられ、この接続ランドが形成される領域どうしの間に、電気配線と接続ランドとを電気的に接続するスルーホールが形成されることを要旨とするものである。電気配線は、この配線基板の所定の面および／または層（たとえば表面の層や内部の層）に形成されるものであり、電気信号および／または電力などを伝送するものである。接続ランドは、主に他の電子部材および／または電気部材との接続を構成するためのものである。他の電子部材・電気部材とは、たとえば回路基板（フィルム状のものも含む）などをいう。
【００１２】
そして、接続ランドが形成される領域どうしの間には、ダミーランドが形成される構成であってもよい。
【００１３】
本発明は、次のように表現することもできる。すなわち、異方性導電膜を介して他の電子部材および／または電気部材と接続を構成するための接続ランドを備える配線基板において、電気配線と接続ランドとを電気的に接続するスルーホールが、異方性導電膜を貼付する領域のうちの接続ランドが形成されない部位に設けられることを要旨とする。電気配線、接続ランド、他の電子部材および／または電気部材は、前記のものと同じである。
【００１４】
そして、異方性導電膜を貼付する領域のうち、接続ランドが形成されない部位にはダミーランドが形成される構成であってもよい。
【００１５】
本発明に係る液晶モジュールは、液晶表示パネルを駆動するドライバが実装されるＴＣＰが液晶表示パネルに接続され、さらにこのＴＣＰに、前記配線基板が異方性導電膜を介して接続される構成を備える。
【発明の効果】
【００１６】
本発明によれば、接続ランドが形成される領域どうしの間にスルーホールを設けることにより、電気配線を、接続ランドや接続ランドが形成される領域どうしの間に重畳するように配設できる。このため、電気配線と接続ランドや接続ランドの間の領域との重畳を避けるための領域が不要となり、基板の寸法を縮小することができる。そして配線基板の面積の縮小により、配線基板の低価格化を図ることができる。
【００１７】
また、異方性導電膜が貼付される領域のうち、接続ランドが設けられない部位にスルーホールを設けることにより、電気配線を、異方性導電膜が貼付される領域に重畳するように配設できる。このため、異方性導電膜が貼付される領域との重畳を避けるための領域が不要となり、基板の寸法を縮小することができる。そして配線基板の面積の縮小により、配線基板の低価格化を図ることができる。
【００１８】
そして、このような配線基板や液晶モジュールを表示装置に組み込む場合、この配線基板を収納するスペースを小さくできる。このため、表示装置の狭額縁化、すなわち液晶表示パネルを支持する枠体の小型化または細幅化を図ることができる。
【発明を実施するための最良の形態】
【００１９】
以下に、本発明の実施形態について、図面を参照して詳細に説明する。図１は、本発明の実施形態に係る配線基板１２ａ，１２ｂと、この配線基板１２ａ，１２ｂが組み込まれた液晶モジュール１を示した外観斜視図である。
【００２０】
図１に示すように、本発明の実施形態に係る液晶モジュール１は、液晶表示パネル１１と、配線基板１２ａ，１２ｂと、ＴＣＰ１３ａ，１３ｂとを備える。配線基板１２ａ，１２ｂは、外部の（たとえば表示装置に組み込まれた）コントロール回路基板（図示せず）により生成された制御信号や電力等を、各ＴＣＰ１３ａ，１３ｂに分配等できるように構成される。この配線基板１２ａ，１２ｂの詳細は後述する。各ＴＣＰ１３ａ，１３ｂは、たとえば液晶表示パネル１１を駆動するフィルム状の回路基板であり、液晶表示パネル１１の長辺と短辺のそれぞれに装着される。液晶表示パネル１１の一辺（一般に長辺）に装着されるＴＣＰ１３ａにはソースドライバ１３１ａが、他の一辺（一般に短辺）に装着されるＴＣＰ１３ｂにはゲートドライバ１３１ｂが実装される。配線基板１２ａ，１２ｂと各ＴＣＰ１３ａ，１３ｂとの接続には、異方性導電膜１４が用いられる。
【００２１】
なお、液晶表示パネル１１、各ＴＣＰ１３ａ，１３ｂは、従来一般のものが適用できることから、これらの構成や動作についての詳細な説明は省略する。
【００２２】
図２は、本発明の実施形態に係る配線基板１２ａ，１２ｂと、この配線基板１２ａ，１２ｂが組み込まれた液晶モジュール１の実装構造を拡大して模式的に示した一部分解斜視図である。なお、液晶表示パネル１１の長辺に沿って配設される配線基板１２ａと、短辺に沿って配設される配線基板１２ｂは、以下で説明する部分はほぼ同じ構成を備えることから、区別せずにまとめて説明する。
【００２３】
配線基板１２ａ，１２ｂは、細長い略長方形に形成される。これらの配線基板１２ａ，１２ｂには、電気信号や電力などを伝送できる複数の電気配線２１と、各ＴＣＰ１３ａ，１３ｂと接続を構成するための接続ランド２２とを備える。なお、以下の説明においては、一枚のＴＣＰに接続する一群の接続ランド２２が形成される領域を「接続部２２１」と称する。
【００２４】
電気配線２１は、配線基板１２ａ，１２ｂの長手方向に沿って配設される細長い導体であり、一般に複数が並列的に配設される。図２においては、電気配線２１が、配線基板１２ａ，１２ｂの表面に形成される構成を示すが、表面に限られるものではなく、内部の層または表面および内部の層に形成されるものであってもよい。また、電気配線２１の数や寸法・形状も、伝送する電気信号や電力等の種類や数等に応じて適宜設計される設計事項であり、図２に示す構成に限定されるものではない。
【００２５】
接続部２２１は、複数の矩形の接続ランド２２が所定の間隔をおいて並べられるように形成され、各ＴＣＰ１３ａ，１３ｂに接続する位置に設けられる。各接続部２２１の接続ランド２２の数、寸法・形状は、各ＴＣＰ１３ａ，１３ｂに伝送する電気信号や電力等、および接続する各ＴＣＰ１３ａ，１３ｂの寸法・形状などに応じて適宜決定される設計事項である。
【００２６】
各接続部２２１どうしの間の領域には、ダミーランド２３が形成される。このダミーランド２３は、接続ランド２２とほぼ同一の構成を有する。このため、配線基板１２ａ，１２ｂは、液晶表示パネル１１に対向する長辺の周縁部に、矩形の接続ランド２２およびダミーランド２３が櫛状に並べられる構成を備える。この接続ランド２２およびダミーランド２３が設けられる領域が、異方性導電膜１４を貼付する領域となる。
【００２７】
そして所定の電気配線２１と、所定の接続ランド２２とが、それぞれスルーホール２４により電気的に接続される。これにより、電気配線２１に伝送される電気信号や電力等を、スルーホール２４を通じて接続ランド２３に伝送し、各ＴＣＰ１３ａ，１３ｂに分配することができる。このスルーホール２４は、従来一般の構造が適用できる。たとえば、接続ランド２２が形成される面と、電気配線２１が形成される面とを連通する孔を形成し、この孔の内壁面に銅などの導体のメッキ層を形成する構成のものが適用できる。
【００２８】
これらのスルーホール２４のうち、液晶表示パネル１１に対向する辺の近傍に配設される電気配線２１（図２おいては符号２１ａ，２１ｂ，２１ｃが付された電気配線）と接続ランド２２とを接続するスルーホール２４（図２においては、符号２４ａ，２４ｂ，２４ｃが付されたスルーホール）は、各接続部２２１どうしの間、すなわちダミーランド２３が形成される領域に設けられるようにする。
【００２９】
各接続部２２１どうしの間の領域、すなわちダミーランド２３が形成される領域にも、電気配線２１と接続ランド２３とを接続するスルーホール２４を形成する構成とすると、少なくともダミーランド２３と電気配線２１とを重畳させないようにする必要がなくなる。したがって従来のような、電気配線２１が形成される面に電気配線２１が配設されない領域（図３参照。符号９２６が付された領域）を設ける必要がなくなる。この結果、この領域の幅だけ、配線基板１２ａ，１２ｂの幅寸法を縮めることができ、配線基板１２ａ，１２ｂの短辺の長さを、たとえば電気配線２１の形成に必要最小限の寸法にすることができる。
【００３０】
この構成は、次のように言い表すこともできる。配線基板１２ａ，１２ｂの幅を縮めるには、電気配線２１が形成される面に存在する電気配線２１が存在しない領域（図３参照）を無くす必要がある。しかしながら、この領域を無くして電気配線２１が配線基板１２ａ，１２ｂのほぼ全幅に亘って存在する構成とすると、複数ある電気配線２１うちの少なくとも一部は、接続ランド２２やダミーランド２３１に重畳する。図２に示す構成においては、液晶パネル１１に対向する長辺寄りに位置する電気配線２１ａ，２１ｂ，２１ｃが該当する。そこで、このような電気配線２１ａ，２１ｂ，２１ｃと所定の接続ランド２２とを電気的に接続するスルーホール２４ａ，２４ｂ，２４ｃは、各接続部２２１どうしの間、すなわちダミーランド２３が形成される領域に設ける。
【００３１】
この際、これらのスルーホール２４ａ，２４ｂ，２４ｃまたはスルーホール２４ａ，２４ｂ，２４ｃと接続ランド２２を接続する導体２５と干渉する特定のダミーランド２３（図２においては、符号２３ａ，２３ｂ，２３ｃが付されたダミーランドが該当する）は、その全体を除去するのではなく、当該干渉する部分を切り欠いたような形態とするなどし、できるだけ残存させることが好ましい。たとえば、ダミーランド２３ａ，２３ｂ，２３ｃのように、スルーホール２４ａ，２４ｂ，２４ｃと干渉しないように、長さを短くするなどの構成が挙げられる。ダミーランド２３の数や面積の減少を最小限に抑制することにより、配線基板１２と異方性導電膜１４の密着性の低下を防止できる。
【００３２】
なお、各接続部２２１どうしの間の領域に設けるスルーホールの数等は、図２に示した構成や前記構成に限定されるものではない。
【００３３】
このような構成によれば、配線基板１２ａ，１２ｂの横幅寸法を縮めることができるから、配線基板１２ａ，１２ｂの小面積化や低価格化を図ることができる。また、異方性導電膜が貼付される領域、換言すれば接続ランドや接続ランドが形成される領域どうしの間の領域を有効に利用できるから、電気配線の引き回しの自由度が向上する。
【００３４】
この配線基板１２ａ，１２ｂの液晶モジュール１への組み付けは、次の通りである。配線基板１２ａ，１２ｂにおける接続ランド２２およびダミーランド２３が形成される領域、換言すると、液晶表示パネル１１に対向する長辺の周縁部に、異方性導電膜１４を貼り付け、その後、異方性導電膜１４のセパレータ（図示せず）を剥がす。一部のダミーランド２３ａ，２３ｂ，２３ｃは切り欠かれたような形態となっているが、全体として異方性導電膜１４の接着性に影響はなく、異方性導電膜１４からセパレータを剥がす際に、異方性導電膜１４が配線基板１２から剥がれることはない。そして、各ＴＣＰ１３ａ，１３ｂを位置決めして異方性導電膜１４に貼り付け、加圧・加熱して接着する。
【００３５】
このような配線基板１２ａ，１２ｂが接続された液晶モジュール１であれば、表示装置に組み込む際に、この配線基板１２ａ，１２ｂを収納するスペースを小さくできる。このため、表示装置の狭額縁化を図ることができる。
【００３６】
また、従来は、表示装置の狭額縁化を図るため、液晶表示パネル１１に装着される各ＴＣＰ１３ａ，１３ｂおよび配線基板１２ａ，１２ｂを背面側に起立させる構成が用いられることがある。しかしながら、そのような構成としなくとも、配線基板１２ａ，１２ｂの幅寸法を縮めることにより、表示装置の狭額縁化を図ることができる。このため、表示装置の組み立てが容易となる。
【００３７】
なお、前記実施形態においては、接続ランドおよびダミーランドが設けられる面の反対側の面に電気配線が設けられる構成の配線基板を示したが、本発明はこの構成に限られるものではない。たとえば、電気配線が配線基板の内部の層に形成される構成、内部の層および表面に形成される構成であっても良い。また、電気配線が形成される内部の層の数も限定されるものではない。そしてこれらのいずれの構成においても、前記実施形態と同様の作用効果を奏することができる。
【００３８】
また、電気配線が形成される面および／または層を複数有する配線基板においては、ある面および／または層に形成される電気配線と接続ランドとをスルーホールにより接続するため、当該ある面および／または層の電気配線と他の面および／または層の電気配線とが重畳しない部分を設け、当該重畳しない部分にスルーホールを形成する必要がある。このような場合、本発明によれば、この重畳しない部分をダミーランドが形成される領域に位置させることができる。このため、配線基板の設計の自由度を高めることができる。
【００３９】
以上、本発明の実施形態について詳細に説明したが、本発明は、前記実施形態に何ら限定されるものではなく、本発明の趣旨を逸脱しない範囲で種々の改変が可能である。
【図面の簡単な説明】
【００４０】
【図１】本発明の実施形態に係る液晶モジュールの構成を示した外観斜視図である。
【図２】前記実施形態に係る液晶モジュールの組み付け構造を模式的に示した一部分解斜視図である。
【図３】従来一般に用いられる液晶モジュールの組み付け構造の一例を模式的に示した一部分解斜視図である。
【符号の説明】
【００４１】
１  液晶モジュール
１１  液晶表示パネル
１２ａ，１２ｂ  配線基板
１３ａ，１３ｂ  ＴＣＰ
１３１  ドライバ
１４  異方性導電膜
２１  電気配線
２２  接続ランド
２３  ダミーランド
２４  スルーホール
２５  スルーホールと接続ランドを接続する導体
【図１】
2007129034.tif 000003
【図２】
2007129034.tif 000004
【図３】
2007129034.tif 000005